(57)【特許請求の範囲】
【請求項１】
遊技盤に支軸を介して取り付けられて当該支軸を中心に回転可能であり、かつ、糸状物を捉える捕捉部を有する回転構造体を備える、パチンコ遊技機であって、
前記回転構造体は、前記支軸を中心に回転可能な円形状をなす装飾板を有し、当該装飾板の外周に沿って前記捕捉部が設けられている、パチンコ遊技機。
【請求項２】
前記捕捉部は、前記装飾板の外周に沿って１又は複数個の部位として設けられており、当該捕捉部の各々は、当該装飾板の縁から前記支軸に向かって先細り形状となる部位を有する切り込み部である、請求項１に記載のパチンコ遊技機。
【発明の詳細な説明】
【技術分野】
【０００１】
本発明は、遊技機に関する。具体的には、本発明は、不正防止機能を備えるパチンコ遊技機に関する。
【背景技術】
【０００２】
近年、パチンコ遊技機（例えば、特許文献１に記載のもの）において、釣り糸を取り付けた不正遊技球を上皿から遊技領域へ送り込んで不正に賞球を得たり、あるいは不正に抽選を始動させたりといった不正行為（いわゆる、釣り糸ゴト）の発生が問題となっている。
【先行技術文献】
【特許文献】
【０００３】
【特許文献１】特開２０１０−１１０５２８号公報
【発明の概要】
【発明が解決しようとする課題】
【０００４】
多くの場合、上記釣り糸ゴトには、視認され難い糸状物（例えば、透明な釣り糸）が使用される。このため、ホール店員が釣り糸ゴトを発見するのは容易ではない。また、不正遊技球が排出口を介して遊技領域の外に排出されてしまうと、釣り糸ゴトを行った不正遊技者を特定することは困難である。
【０００５】
このため、これらの問題を解決するために、パチンコ遊技機側で何らかの対策を講じることが求められている。
【課題を解決するための手段】
【０００６】
（本発明の要旨）
上記目的を達成するために、本発明が、その一例として、以下のような態様で提供され得る。以下で示した具体的な記載のいずれもが、本発明の外延を理解するために示した例示的な記載であって、本発明がこの例に限定されることを意図するものではない。すなわち、当業者は、その具体的な記載から、本発明に関する記載および技術常識に基づいて均等な範囲を実施することができることを理解し得る。なお、本欄における括弧内の参照符号や補足説明等は、本発明の理解を助けるために、後述する実施形態との対応関係を示したものであって、本発明を何ら限定するものではない。
【０００７】
一態様において、本発明は、遊技盤（２）に支軸（１０２）を介して取り付けられて当該支軸（１０２）を中心に回転可能であり、かつ、糸状物を捉える捕捉用部材（１０１）を有する回転構造体（１００）を備える、パチンコ遊技機（１）を提供する。
【０００８】
一実施形態において、上記回転構造体（１００）は、上記支軸（１０２）を中心に回転可能な円形状をなす装飾板（１０３）を有し、上記装飾板（１０３）の主面の一方に、上記捕捉用部材（１０１）が同一円周上に等間隔をおいて複数立設されていてもよい。
【０００９】
上述の実施形態において、上記捕捉用部材（１０１）は、その先端から複数の切れ込みが形成されていてもよい。
【００１０】
上述の実施形態において、上記切れ込みは、上記遊技盤（２）から離れるほど狭くなるような先細り形状を有していてもよい。
【発明の効果】
【００１１】
不正行為（特に、釣り糸ゴト）を防止し得る新規の特徴を有する遊技機が提供された。
【図面の簡単な説明】
【００１２】
【図１】パチンコ遊技機１の概略正面図
【図２】不正防止機構を備えた構造体（役物）の一例
【図３】図２に示された風車１００の形状と、風車１００が遊技盤２に固定された際の位置関係とを例示するための模式図
【図４】遊技盤２に風車１００が固定された場合であって、その遊技盤２側から風車１００を見たときの風車１００を示した模式図
【図５】羽根部材１０１として利用可能な別の形状を有する羽根部材１０１ａ’を備える風車１００を示した模式図
【図６】切れ込み部の例として、切れ込み部Ｃ’’を示している模式図
【図７】風車１００の装飾板１０３が羽根部材１００と同様に切れ込み部（切れ込み部Ｃ’ ’ ’）を有する態様（装飾板１０３’）を例示している模式図
【発明を実施するための形態】
【００１３】
（パチンコ遊技機の概略構成）
まず、図１を参照しつつ、パチンコ遊技機１の概略構成について説明する。図１は、パチンコ遊技機１の概略正面図である。
【００１４】
図１に示されるように、パチンコ遊技機１は、遊技球が打ち出される遊技盤２と、遊技盤２を囲む枠部材３とを備えている。枠部材３は、遊技盤２の表面側（図１の紙面手前側）に遊技盤２と所定の間隔を隔てて平行に配置された透明なガラス板（図示省略）を支持する部材であり、遊技盤２に対して開閉可能に構成されている。
【００１５】
枠部材３に支持されたガラス板と遊技盤２との間には、遊技球が移動する遊技領域２０が形成されている。遊技者がハンドル３１を握ってレバー３２を時計方向へ回転させると、皿３９に溜められた遊技球がハンドル３１の回転角度に応じた打球力で発射装置（図示省略）から発射される。発射された遊技球は、遊技領域２０の上部位置へ案内され、遊技領域２０に配置された遊技クギ（図示省略）または風車１００などの役物に接触することでその移動方向を変化させながら遊技盤２に沿って落下する。
【００１６】
遊技領域２０には、入賞や抽選に関する役物として、第１始動口２１、第２始動口２２、大入賞口２３、普通入賞口２４、およびゲート２５が設けられている。パチンコ遊技機１では、第１始動口２１、第２始動口２２、大入賞口２３、または普通入賞口２４に遊技球が入賞すると、入賞した場所に応じた個数の賞球が皿３９に払い出される。なお、入賞しなかった遊技球は、排出口２６を介して遊技領域２０の外に排出される。
【００１７】
第１始動口２１または第２始動口２２に遊技球が入賞すると、大当たり抽選（特別図柄抽選）が実行される。この特別図柄抽選に当選することで大入賞口２３が開放され、遊技者が多量の賞球を得ることが可能な大当たり遊技を楽しむことができる。また、遊技球がゲート２５を通過すると、電動チューリップ２７の開閉抽選（普通図柄抽選）が実行される。この普通図柄抽選に当選すると、電動チューリップ２７が作動して、第２始動口２２が一時的に開放される。
【００１８】
遊技盤２または枠部材３には、各種演出を行う液晶表示器５、盤ランプ８、枠ランプ３６、可動役物７、およびスピーカ部５０などが設けられている。
【００１９】
（遊技機における不正防止機構）
（不正防止機構の例示的な構造およびその設置位置）
例示的な実施形態において、遊技機１は、上述したような遊技盤２に風車１００を有する。本実施形態において、この風車１００は、不正防止機構を備えた構造体として実装される。なお、一般に、風車は、遊技球を振り分けるその機能との関連から入賞や抽選に関する役物（例えば、第１始動口２１、第２始動口２２、大入賞口２３、普通入賞口２４など）の（遊技球が流下する流れにおける）上流に設けられている場合が多い。そして、そのような位置にある風車を利用して、釣り糸ゴトが行なわれる場合が多い。本発明の一実施形態に係る風車１００は、そのような位置に固定された場合に不正防止に寄与する動作をする機能を有する。
【００２０】
（風車の全体構造および遊技盤での配置）
風車１００の構造について説明する。風車１００は、遊技盤２に支軸（軸部１０２）を介して取り付けられる。そして、この風車１００は、その主面上に設けられた羽根部材１１０１とともに当該支軸を中心に回転し得る。
【００２１】
図２および図３を参照しつつ、この風車１００の構造について説明する。図２は、不正防止機構を備えた構造体（役物）の一例としての風車１００の構造の示す模式図である。図２の上側（（Ａ））は、風車１００が備える構造を一部省略した態様で示している。また、図２の下側（（Ｂ））は、この上側（Ｂ）で省略されていた後述の羽根部材の一部を表した態様で示している。この風車１００は、羽根部材１０１、軸部１０２および装飾板１０３を備える。なお、羽根部材１０１ａ、羽根部材１０１ｂおよび羽根部材１０１ｃは、羽根部材１０１の部分構造であり、その詳細は後述する。装飾板１０３は、ほぼ円形をした主面を有する板状の部材である。そして、この装飾板１０３は、その主面の一方に羽根部材１０１および軸部１０２を備えており、それらの部材が備えられた面と反対の面には、必要に応じて、任意の装飾が施されている。
【００２２】
なお、本実施形態において装飾板１０３の主面の外形は、円形であるがこの例に限られず、他の形状（例えば、多角形）であってもよい。また、装飾板１０３の主面上に備えられた軸部１０２は、その装飾板１０３の主面のほぼ中央に位置づけられている。この軸部１０２は、装飾板１０３の主面からそれに垂直な方向に延びる部材である。なお、装飾板１０３に対する軸部１０２の位置関係についても、その例に示した態様に限定されず、装飾板１０３を所望する態様で回転し得る位置関係であれば他の態様でも構わない。
【００２３】
図２では、軸部１０２の長軸方向をｚ軸としている。当該長軸にそって羽根部材１０１などが設置された主面側の方向が、ｚ軸の正方向である。遊技機１において、ｚ軸の正方向側に遊技盤２が、装飾板１０３の主面と平行に位置づけられるように設置される。図２では、軸部１００における、装飾板１０３とは反対側の先端にクギ１０４が出ている様子が示されているが、このクギが遊技盤２の主面に刺さることで、風車１００は、軸部１０２を中心に回転可能な態様で遊技盤２に設置される。すなわち、軸部１０２は、風車１００の支軸として機能する。
【００２４】
なお、本例では、羽根部１０１、軸部１０２、装飾板１０３、（固定用）クギ１０４は、それぞれ、別個の部材として存在し、それらが互いに固定されたものである。しかし、この例のように、それぞれの部材が別個に存在しなくともよい。すなわち、この風車１００は、それを構成する部材のそれぞれが果たす機能を備えるように一体形成された構造体として提供されてもよい。また、それら部材が、部分的に一体形成されていてもよい。
【００２５】
（羽根部材の構造）
図２では、羽根部材１０１が装飾板１０３に固定されている様子を示しているが、この図２（Ａ）では、羽根部材１０１の一部が省略されている。より具体的には、図２（Ａ）では、羽根部材１０１の構成単位となる部分構造体（羽根部材１０１ａ）を１つだけ示す。実際には、図２（Ａ）で示されている羽根部材１０１ａと同様の２つの構造体（すなわち、図２（Ｂ）における羽根部材１０１ｂまたは羽根部材１０１ｃ）が、軸部１０２を中心に左右に羽根部材１０１ａから約１２０度ずつ回転した位置（図２（Ａ）中、領域Ｍ１２またはＭ２３）にそれぞれ設置されている。そして、これらの部分構造体は、装飾板１０３の一方の面上の領域（空間）を、３つの領域（図２おける領域Ａ１、Ａ２およびＡ３）に分ける。なお、本明細書において、羽根部材１０１ａ、羽根部材１０１ｂおよび羽根部材１０１ｃをあわせて羽根部材１０１と称する。なお、羽根部材１０１の部分構造体の数は、本例では、合計３個であるが、別の実施形態では、他の数（例えば、４つなど）であってもよい。
【００２６】
羽根部材１０１は、遊技領域２０内に不正に導入された糸状物（例えば、釣り糸）に係合することが可能な形状を有する。具体的には、その羽根部材１０１は、そのような糸状物をこの羽根部材１０１と遊技盤２との間の空間に誘導しかつ当該糸状物と係合可能な形状を有する。
【００２７】
より具体的には、羽根部材１０１は、例えば、図３に示されるような態様で提供される。図３は、図２に示された風車１００の形状と、風車１００が遊技盤２に固定された際の位置関係とを例示するための模式図である。図２（Ａ）と同様に、羽根部材１０１は、その一部を省略された状態で記載されている。
【００２８】
図３において示される破線は、遊技盤２の主面の位置を示す補助線である。上述のように、風車１００の主面が、遊技盤２の主面に平行となるように固定されている。このため、遊技盤２の主面は、風車１００の軸部１０２とほぼ垂直である。
【００２９】
羽根部材１０１ａは、風車１００が遊技盤２に固定された際の軸部１０２および遊技盤２との相対的位置関係に依存して形状が規定されている。装飾板１０３は、遊技盤２に固定され、装飾板１０３の主面に垂直な回転軸（軸部１０２の長軸と実質的に一致する軸）を中心に回転し得る。そして、この回転軸から遠位にある羽根部材１０１ａの部分は、近位にある部分よりも、遊技盤２との間隔が確保された構造を有している。例えば、図３の構成において、羽根部材１０１ａは、遊技盤２からの距離が軸部１０２から遠位であるほど大きくなるような、遊技盤２に対向している傾斜面（図中、矢印Ｅに沿った面である。以下、この面を「誘導傾斜面」とする。）を有している。
【００３０】
なお、図３の例では、誘導傾斜面は、平面として規定されている。より具体的には、この誘導傾斜面は、傾斜角度（遊技盤２と誘導傾斜面とがなす角度）が段階的に変化した平面の組合せとして規定されている。しかし、誘導傾斜面は、この例のような平面に限らなくてもよい。すなわち、誘導傾斜面は、回転軸（軸部１０２）に対してより遠位であるほど遊技盤２からの距離が大きくなる傾向（近位であるほど、その距離が小さい傾向）を有していれば、曲面であってもよい。
【００３１】
羽根部材１０１ａの主面は、誘導傾斜面側に開いた複数の切れ込み部（図３では、そのうちの１つを記号Ｃで示した）を有している。本例において、この切れ込み部は、誘導傾斜面から離れるほど狭くなる楔形状を有している。
【００３２】
（不正防止機構の動作およびその作用）
上述のような構成を有する風車１００が、不正防止機構として機能する際の動作例を説明する。
【００３３】
まず、風車１００が果たす一般的な、遊技球の振り分け機能について説明する。図４は、遊技盤２に風車１００が固定された場合であって、その遊技盤２側から風車１００を見たときの風車１００を示した模式図である。図中の座標軸（ｘｙｚ座標系）、領域Ａ１、Ａ２およびＡ３については、図２および３と同様のものである。図４では、ｘ軸正方向が遊技機１の頂部の方向（スピーカ５０などが配置されている方向）であり、ｘ軸負方向が、遊技球が落下していく方向（鉛直方向）である。
【００３４】
通常状態において、遊技機１で遊技球が遊技領域２０に発射された場合、発射された遊技球は、遊技領域２０の上部位置へ案内される。そして、その遊技球は、遊技領域２０に配置された遊技クギまたは風車１００などの役物に接触することでその移動方向を変化させながら遊技盤２に沿って落下する。遊技球が遊技領域２０を落下して風車１００と相互作用する位置関係となったとき、その遊技球は風車１００の羽根部材１００で規定される領域Ａ１からＡ３までのいずれかの領域に進入する。
【００３５】
図４における点線Ｂは、領域Ａ３に進入した遊技球の外形の一例を示している。これらの領域に進入した遊技球の重さの作用により、風車１００は、軸部１０２を回転軸として方向Ｄ１またはＤ２に回転する。この回転の結果、遊技球が領域Ａ１からＡ３のいずれかから下流へと排出される。その回転速度などに依存して、その遊技球は、遊技領域２０内で落下する過程における移動方向において変更を受ける。
【００３６】
釣り糸などの糸状物が取り付けられた不正遊技球が遊技領域２０に発射されて風車１００と相互作用する位置に至る場合、この不正遊技球は、通常の遊技球と同様に領域Ａ１からＡ３までのいずれかに進入し得る。そして、その不正遊技球は、その不正遊技球の重さの作用により、風車１００を方向Ｄ１またはＤ２へと回転させ、その不正遊技球自体は、風車１００の下流（ｘ軸負方向）へと流れ出る方向に移動する。
【００３７】
このとき、羽根部材１００の誘導傾斜面の作用によって、不正遊技球に取り付けられていた釣り糸は、その誘導傾斜面と、それと対向する遊技盤２の主面との間の空間に誘導される。図４では、その空間の一例が領域Ａ４として示されており、矢印ＦＬＷ１で例示されるように、当該領域に釣り糸が誘導される。
【００３８】
この状態で、（不正遊技球を導入した）不正行為者がその釣り糸の一端を引いた場合、不正遊技球の重さの作用と、概して上流方向（ｘ軸正方向）にかかった力の作用によって、釣り糸は、誘導傾斜面に沿って軸部１０２側に（例えば、矢印ＦＬＷ１の方向に）引き込まれる。そして、その釣り糸が、切れ込み部にその釣り糸がかかると羽根部材１００の切れ込み部の奥へと引き込まれる（例えば、矢印ＦＬＷ２で例示された方向に当該釣り糸が引き込まれる）。
【００３９】
切れ込み部は、誘導傾斜面側から奥に進むにつれて狭く（細く）なっており、また、必要に応じて、カーブがかかっているので、進入した釣り糸はその切れ込み部の内部で固定される。これによって、不正行為者は、釣りとの一端を押し引きして、その他端に釣り付けられた不正遊技球を操作することができなくなり、また、その不正遊技球自体を釣り糸を介して捕捉することが可能となる。そして、このような不正行為に用いられた糸状物を捕捉することで、その不正行為を抑止し、また、その不正行為を発見しやすくなる効果が奏される。
【００４０】
なお、この例において、羽根部材１０１ａの辺のうち、軸部１０２から遠位にあり軸部１０２の長軸とほぼ平行である辺の長さｄ（図４参照）は、領域Ａ４の大きさを規定する上で影響する量である。この長さｄは、例えば、領域Ａ４に遊技球がはまり込んで、いわゆる球がみ状態となりやすい長さを回避しつつ、釣り糸を領域Ａ４に誘導しやすい大きさを確保するように決定すればよい。一例において、この長さｄは、例えば、遊技球の直径の半分またはそれ以下の長さをとってもよい。
【００４１】
（変形例その他の事項）
（羽根部材の形状の変形例）
図５は、上述の羽根部材１０１として利用可能な別の形状を有する羽根部材１０１ａ’を備える風車１００を示した模式図である。この例では、羽根部材１０１の誘導傾斜面の一部Ｅ’を曲面として規定した。不正行為に用いられる糸状物（例えば、釣り糸）が誘導傾斜面Ｅ’に接した際に、その釣り糸を切れ込み部Ｃ’へとさらに誘導されやすくなるように、一定の曲率で切れ込み部の奥（装飾板１０３に近い方向）へと案内するための曲面で規定される傾斜を付けている。
【００４２】
この曲面の形状については、切れ込み部の奥に糸状物の案内が容易になればよく、この図５に示された例に限られない。なお、この切れ込み部の最奥部は、一旦その幅が狭くなった後に、糸状物を安定に位置づけておくための空間を有してもよい。例えば、図６に示されるような態様の切れ込み部の先端部Ｐである。図６は、切れ込み部の例として、切れ込み部Ｃ’’を示している模式図である。この模式図において、切れ込み部Ｃ’’の先端部（誘導傾斜面とは反対側の端）に糸状物をその位置に捕捉しておくための円形の空間Ｐを設けている。この空間Ｐに入り込んだ糸状物は、図６の矢印の反対方向に糸状物を戻しにくくする。これによって、糸状物の捕捉が解かれてしまう状況をさらに起こりにくくし得る。
【００４３】
図７は、風車１００の装飾板１０３が羽根部材１００と同様に切れ込み部（以下、本変形例において総称して切れ込み部Ｃ’’’）を有する態様（装飾板１０３の変形例。以下、装飾板１０３’と総称する）を例示している模式図である。羽根部材１０１が図７（Ａ）から（Ｃ）までで例示されたように切れ込み部Ｃ’’’を有する場合、風車１００の装飾板１０３’は、羽根部材１０１が糸状物を捕捉する機能を有し得る。このような態様の装飾板１０３’は、糸状物を捕捉するために、羽根部材１０１とともに用いられるか、または、切れ込み部を有さない別の羽根部位とともに用いられて、風車１００を構成し得る。
【００４４】
図７（Ａ）から図７（Ｃ）のいずれもが、円形の装飾板１０３’の主面が紙面と平行になるように表した模式図である。図７（Ａ）の例では、切れ込み部Ｃ’’’が、装飾板１０２の円周に沿ってほぼ一定間隔で、装飾板１０３’の縁から中心に向うくさび形状となるように設けられている。図７（Ｂ）の例では、切れ込み部Ｃ’’’が、装飾板１０３’の縁から中心に向かう流線形状の溝となるように設けられている。図７（Ｃ）の例では、切れ込み部Ｃ’’’は、図６で示されたものに類似する、捕捉した糸状物を離しにくくする構造を有している。すなわち、装飾板１０３’の切れ込み部Ｃ’’’は、円形の縁から中心に向かうにつれて一旦その空間が細くなるがその先で最細部よりも広い幅が確保されている構造を有する。この構造によって、糸状物がより安定的に保持され得る。なお、各図に示される切れ込み部Ｃ’’’の形状およびその個数は、一例であって、そこに示された態様に限定されることを意図するものではない。
【００４５】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本発明は、特許請求の範囲によってのみその範囲が解釈されるべきであることが理解される。ここで、当業者は、本発明の具体的な実施形態の記載から、本発明の記載および技術常識に基づいて均等な範囲を実施することができることが理解される。また、本明細書において使用される用語は、特に言及しない限り、当該分野で通常用いられる意味で用いられることが理解されるべきである。したがって、他に定義されない限り、本明細書中で使用されるすべての専門用語および技術用語は、本発明の属する分野の当業者によって一般的に理解されるのと同じ意味を有する。矛盾する場合、本明細書（定義を含めて）が優先する。
【符号の説明】
【００４６】
１    パチンコ遊技機
２    遊技盤
３    枠部材
７    可動役物
８    盤ランプ
５    液晶表示器
２０    遊技領域
２１    第１始動口
２２    第２始動口
２３    大入賞口
２４    普通入賞口
２５    ゲート
２６    排出口
２７    電動チューリップ
３１    ハンドル
３２    レバー
３６    枠ランプ
３９    皿
５０    スピーカ部
１００    風車
１０１    羽根部材
１０１ａ  羽根部材（部分）
１０２    軸部
１０３    装飾板
１０４    （固定用）クギ
【図１】
0005485364.tif 000002
【図２】
0005485364.tif 000003
【図３】
0005485364.tif 000004
【図４】
0005485364.tif 000005
【図５】
0005485364.tif 000006
【図６】
0005485364.tif 000007
【図７】
0005485364.tif 000008